(57)【特許請求の範囲】
【請求項１】
管理機Ａの後部にロータリ耕耘装置Ｂを配置し、該ロータリ耕耘装置Ｂの中央にロータリーケース２３ｃを配置し、該ロータリーケース２３ｃの前下部に棒状のダッシュ防止部材Ｃを配置し、該ダッシュ防止部材Ｃは円筒状の固定杆４とその下方に固設した抵抗棒１より構成し、前記抵抗棒１は断面視Ｖ字状に構成され、その開放する内側面１ｃに前記固定杆４を固着し、Ｖ型断面形状の頂部１ｂを土中に切り込んでゆく切込刃とし、ロータリーケース２３ｃ前下部の左右接合面より前方に固定ブラケット２を固設し、該固定ブラケット２の前面に円筒状のボス３を固設し、該ボス３の軸芯を前記ロータリーケース２３ｃと平行状とし、該ボス３内部に固定杆４を挿入し、前記ボス３の外側の固定ネジ５を締め付けることで高さ位置調整可能に固定したことを特徴とする管理機のダッシュ防止装置。
【請求項２】
請求項１記載の管理機のダッシュ防止装置において、ダッシュ防止部材Ｃを構成する抵抗棒１を、断面視Ｖ字状の棒材が互いに開放側が向かい合うように、固定杆４に固設配置したことを特徴とする管理機のダッシュ防止装置。
【発明の詳細な説明】
【０００１】
【産業上の利用分野】
本発明は、管理機の耕耘部に設けるダッシュ防止装置に関する。
【０００２】
【従来の技術】
従来、管理機にロータリ耕耘装置を装着して耕耘作業を行う場合、圃場の土質が固い部分を耕耘すると、耕耘爪が土中に入り難く、また、耕耘爪の回転速度は車輪の走行速度よりも速いために、該耕耘爪が地表面を蹴り進み、完全に浮き上がったまま、その勢いで管理機自身が加速する、いわゆる、ダッシュを生じることがあった。
また、管理機等に装着するロータリー耕耘装置は殆どがセンタードライブ方式であるため、ロータリーの左右方向中央には駆動力を伝達する駆動ケースが配設されており、この部分は耕耘爪の回転軌跡外となるために、残耕となってしまう。
【０００３】
【発明が解決しようとする課題】
従来の管理機において、ダッシュを防止するために、ロータリの後部に抵抗棒を装着することが行われていたが、ダッシュしないようにするためには、ハンドルを下方に強く押し付ける必要があり、押しつけたまま作業することは大変辛い仕事となる。
また、抵抗棒は駆動ケースより後方へ突出したフレーム後端に装着されるので、抵抗棒を突き刺す位置は残耕部分となり、押しつけるには不安定であって、左右にふらついてしまう。
そして、この抵抗棒を取り付けると培土板等の作業機を装着することができず、作業範囲が狭められていた。
また、この残耕部分をなくすために、耕耘爪の取付部分を改良したクロスセンターロータリー等の技術があるが、特殊な構造となり、複雑でコストアップとなっていた。
【０００４】
【課題を解決するための手段】
本発明は、以上のような課題を解決するために、次のような手段を用いる。
請求項１においては、管理機Ａの後部にロータリ耕耘装置Ｂを配置し、該ロータリ耕耘装置Ｂの中央にロータリーケース２３ｃを配置し、該ロータリーケース２３ｃの前下部に棒状のダッシュ防止部材Ｃを配置し、該ダッシュ防止部材Ｃは円筒状の固定杆４とその下方に固設した抵抗棒１より構成し、前記抵抗棒１は断面視Ｖ字状に構成され、その開放する内側面１ｃに前記固定杆４を固着し、Ｖ型断面形状の頂部１ｂを土中に切り込んでゆく切込刃とし、ロータリーケース２３ｃ前下部の左右接合面より前方に固定ブラケット２を固設し、該固定ブラケット２の前面に円筒状のボス３を固設し、該ボス３の軸芯を前記ロータリーケース２３ｃと平行状とし、該ボス３内部に固定杆４を挿入し、前記ボス３の外側の固定ネジ５を締め付けることで高さ位置調整可能に固定した。
請求項２においては、請求項１記載の管理機のダッシュ防止装置において、ダッシュ防止部材Ｃを構成する抵抗棒１を、断面視Ｖ字状の棒材が互いに開放側が向かい合うように、固定杆４に固設配置した。
【０００５】
【作用】
上記のような手段を用いることによって、本発明のダッシュ防止部材は耕耘時に、ロータリーの前部で未耕地に差し込まれて、抵抗を受けてダッシュが防止される。
そして、この残耕となる部分に抵抗棒が位置して前進するので、未耕地部分が崩されて、その両側の耕耘爪で砕土され、残耕がなくなる。
また、抵抗棒の下部が鋭角となり、ハンドルを下方へ押す力は小さくて済み、より深く差し込むことができ抵抗を受ける面を増やすことができ、ダッシュ防止効果も大きくなる。
【０００６】
【実施例】
本発明の解決すべき課題及び構成は以上の如くであり、次に添付の図面に示した本発明の一実施例を一輪管理機に適用した場合について説明する。
図１は本発明を採用した管理機の側面図、
図２は本発明のダッシュ防止部材を取り付けたロータリーケースの下部側面図、
図３は同じくダッシュ防止部材を前後付け替えた状態のロータリーケース下部側面図、
図４は抵抗棒下部を示す斜視図、
図５は同じく抵抗棒の断面図、
図６は抵抗棒と残耕処理刃を一体的に取り付けたロータリーケースの下部側面図、
図７はダッシュ防止部材の固定杆を上方へ延長した実施例のロータリーケース下部側面図である。
【０００７】
図１よりロータリ耕耘装置Ｂを備えた管理機Ａの全体構成から説明する。
エンジン台２０上にエンジンＥが搭載されており、該エンジンＥの上部に燃料タンク２１が搭載されている。
該エンジンＥの側部の伝動ケース２２を介してミッションケースＭに動力が伝動され、該ミッションケースＭにて変速された動力は、該ミッションケースＭより前方下方に向かって突出するチェーンケース２３ｂの下端部に配置した車軸２４を駆動して駆動輪２５を走行駆動させている。
また、前記ミッションケースＭより後方下方に向かって突出するロータリーケース２３ｃの下端には耕耘爪軸２６を横架し、該耕耘爪軸２６の軸上には複数本の耕耘爪３０・３０・・・が植設されている。
【０００８】
前記ミッションケースＭの上部には、全方向に回動可能にハンドルベース３１が設けられていて、該ハンドルベース３１上端より、ハンドル３２が後方へ突設されている。前記ハンドルベース３１の近傍には主変速レバー３３及び回動レバー３４を突出させている。  また、前記ミッションケースＭにホーク軸３５、耕耘変速ホーク軸３６を横架し、前記主変速レバー３３を操作することで該走行ホーク軸３５、耕耘変速ホーク軸３６を摺動させて前記走行輪２４及び耕耘爪３０・３０・・・を変速駆動させることができる。前記回動レバー３４を操作することにより、ハンドル３２を回動させることができる。
【０００９】
また、本実施例においては、前記チェーンケース２３ｂとロータリーケース２３ｃは、側面視略「く」字状に屈曲した駆動ケース２３として一体構成となっており、側面視略「く」字状に屈曲する屈曲部２３ａに前記ミッションケースＭを配置している。
そして、前記耕耘爪軸２６及び耕耘爪３０・３０・・・は耕耘カバー３８により被装されている。また、ロータリーケース２３ｃの後部上よりロータリーフレーム２７が後方に突設されて、該ロータリーフレーム２７の後端部には、取付固定ボス２９を固着している。
本実施例において、該取付固定ボス２９にはゲージ輪２８を取り付けているが各種牽引作業機を取り付けることができる。
【００１０】
そして、前記ロータリーケース２３ｃの前面下方には、図１に示す如く、本発明のダッシュ防止部材Ｃが配設されている。
該ダッシュ防止部材Ｃは棒状に構成されており、図２及び図３に示す如く、固定杆４とその下方に固設した抵抗棒１よりなり、その取付構造は、ロータリーケース２３ｃ前下部の左右接合面より前方に固定ブラケット２を固設し、該固定ブラケット２前面に円筒状のボス３を固設し、該ボス３の軸芯は前記ロータリーケース２３ｃと平行状に配している。  該ボス３内部に、前記ダッシュ防止部材Ｃの円筒状の固定杆４を挿入し、前記ボス３の側面外側には固定ネジ５を螺合しており、該固定ネジ５を締め付けることで、高さ位置調整可能に固定している。但し、ピンを差し込むことにより固定することもでき、後述する図６のように取付板に固定することもでき、取付構成は限定するものではない。
【００１１】
このようにして取り付けたダッシュ防止部材Ｃは、図２に示す如く、側面視において耕耘爪３０・３０・・・の回動軌跡とラップし、左右の前記耕耘爪３０の間に位置するように配設している。この位置は、駆動輪２５の後方近傍であり、管理機Ａ本体の重心位置の直後方である。また、耕耘される直前の未耕地部分に該抵抗棒１を差し込むようにしている。
【００１２】
そして、前記抵抗棒１は、図４及び図５に示す如く、断面視Ｖ字状に構成されており、その開放する内側面１ｃに前記固定杆４を固着し、Ｖ型断面形状の頂部１ｂを土中に切り込んでゆく切込刃として用いる構成としている。
更に、前記抵抗棒１の下端は、図２に示すように、側面視において長手方向に対して斜めとなる斜面１ａを形設し、鋭角となって該抵抗棒１下端部が土中に差し込み容易となるようにしている。
【００１３】
そして、図２の如く、前記頂部１ｂを進行方向に対して前方に向けてボス３に固定して使用すると、図５に示すように、頂部１ｂにより抵抗棒１を土中を切り進ませてゆくことを可能にし、後方に向かって幅を広くしたことにより、後方に向かうに従って側方に押し退ける土の排出量が増大し、それに伴って抵抗棒１への抵抗が増大するものとなり、前記耕耘爪３０による反力に十分対抗でき、管理機Ａのダッシュ防止としての効果を高くしている。尚且つ、このＶ型断面形状は左右対称であるために、左右の抵抗が等しくかかりふらつきが防止できる。
【００１４】
また、図３に示す如く、前記ダッシュ防止部材Ｃの抵抗棒１を１８０°回転させて頂部１ｂを後方向きに固定することで、前記斜面１ａを略水平状に配すことができ、カルチ作業、揚土作業時において、抵抗棒１の下方（ロータリーカバー２３ｃの下方）を左右の耕耘爪３０により掘り起こされる溝の深さに合わせて残耕を無くすように耕すことができる。
【００１５】
また、ダッシュ防止部材Ｃの他の実施例として、図６に示す如く、前述した残耕処理と抵抗棒とを一体的に構成したダッシュ防止部材Ｃ’とすることもできる。このダッシュ防止部材Ｃ’の構成は、前記ロータリーケース２３ｃの接合面の前部より前方に取付板９を突出し、該取付板９には上下位置にボルト孔を開口している。
一方、ダッシュ防止部材Ｃ’は固定杆４の上部より後方に取付ブラケット７を固着し、該取付ブラケット７には長孔７ａ・７ａを開口して、前記取付板９に開口したボルト孔の位置とに合わせて、ボルト１０・１０を挿入し、上下位置調整可能に固定できるようにしている。
また、ダッシュ防止部材Ｃ’は、ロータリーケース２３ｃと略平行上に配設されている。
【００１６】
そして、前記固定杆４の下部には前述する如く抵抗棒１を固着し、更に、該固定杆４の下部に抵抗棒１と対称となる位置に略同様にＶ字形断面形状を持つ残耕処理刃６を固定している。
即ち、Ｖ字形の開放側が向かい合うように配置される。該残耕処理刃６は、下端部に抵抗棒１と同様に斜面６ａを設けて水平状となるように配設し、残耕処理をも可能としたダッシュ防止部材Ｃ’を構成している。
【００１７】
そして、ダッシュ防止部材Ｃ・Ｃ’は、前述する如くロータリーケース２３ｃと平行状に配設することにより、進行方向に対して前高後低向きに取り付けることで、草の絡み付きを防ぐ構成にしている。
しかし、前記固定杆４の上端部４ａは上方において突出しているので草の絡み付きが発生し、そのために速度を一定に保つことが困難になり、動力の無駄を発生させるこが予想される。
そこで、図７に示す如く、固定杆４の上端を前記ロータリーケース２３ｃの近傍位置まで延出させ、その延長部を湾曲状に突出させて固定杆４’を構成し、草等の引っ掛かりを減少させ、速度を一定に保ち、動力の無駄を無くすように構成することもできる。
【００１８】
以上の如く構成したことで、耕耘作業の際に、該ダッシュ防止部材Ｃは駆動輪２４の後方位置にあり、本体の重心位置近傍に作用点である抵抗棒１を配設する構造となり、また、該抵抗棒１の下端に斜面１ａを鋭角状に形設したことにより、力点であるハンドル３２を下方に下げることで該ダッシュ防止部材Ｃを土中深く容易に差し込むことができる。
そして、このダッシュ防止部材Ｃの抵抗棒１を未耕地に切り進ませることで、後方に向かって幅の広がってゆくＶ字断面形状部材の抵抗棒１により前進に対する抵抗を増してダッシュ防止作用を発揮し、更に、左右対称形状であるため土中を切り進ませるときに自動調芯作用が働き、直進安定性が良くなる。
そして、耕起作業において抵抗棒１により切り崩した跡は耕耘爪による耕耘塊により埋められるので、精度の良い畝を盛ることができる。
【００１９】
また、前記抵抗棒１を１８０°回転させて残耕処理刃として用いると、左右耕耘爪の中央の土を外側に向かって耕耘塊として散らせ、残耕を残すことがなく作業精度が良くなる。更に、抵抗棒１と残耕処理刃４を付設するダッシュ防止部材Ｃ’を取り付けることで、各種作業に対応させることができるので、作業の切り換えの際に付け替える手間を省くことができ効率的な作業を期待できる。
そして、該ダッシュ防止部材Ｃ・Ｃ’は上下取付位置を調整可能にしたことにより、土壌条件の異なる圃場にも対応させることができ、更に、取付固定ボス２９には抵抗棒１を装着しないので、他の作業機を固設することで多機能な管理機Ａを提供することができる。
【００２０】
【発明の効果】
本発明は、以上の如く構成したことにより、次のような効果が得られる。
即ち、請求項１の如く、ロータリケース前下部に棒状のダッシュ防止部材を配置したことにより、簡単な構成のダッシュ防止装置が得られ、安価に構成することができる。そして、ダッシュ防止装置は正面視で耕耘爪と耕耘爪の間に位置するために、未耕地部分に抵抗を与え、ダッシュ防止を有効に働かせることができ、ハンドルを下方へ押す力も小さくて済む。また、抵抗棒を尾輪装着部分に取り付けないので、その部分にアタッチメントを取り付けることができ、作業の種類を増加させることができる。
【００２１】
また、ダッシュ防止部材を、断面視Ｖ字状の抵抗棒から構成したので、Ｖ字頂部によって地面に突き刺さり易くなり、後部開放側が開いているために抵抗が大きくなり、作業速度が安定し、しかも、左右対称であるために左右のふらつきが小さくなる。
また、ダッシュ防止部材を前高後低に取り付けたので、草や夾雑物等が逃げ易く、馬力ロスが小さくなり、また、側面視において耕耘爪の回転軌跡内の前部に配設したので、ダッシュ防止部材によって崩された土が耕耘爪によって耕されて残耕が少なくなり、ダッシュ防止部材の軌跡も残らずきれいに仕上げることができる。
【００２２】
請求項２の如く、断面視Ｖ字状の棒材が互いに開放側が向かい合うように配置したので、残耕処理とダッシュ防止が同時に作用して、直進性及び作業速度の安定性に優れ、また、ハンドルを前後振り替えて作業を行うときには、ダッシュ防止を付け替える必要がなく、作業効率を向上することができる。
【図面の簡単な説明】
【図１】本発明を採用した管理機の側面図である。
【図２】本発明のダッシュ防止部材を取り付けたロータリーケースの下部側面図である。
【図３】同じくダッシュ防止部材を前後付け替えた状態のロータリーケース下部側面図である。
【図４】抵抗棒下部を示す斜視図である。
【図５】同じく抵抗棒の断面図である。
【図６】抵抗棒と残耕処理刃を一体的に取り付けたロータリーケースの下部側面図である。
【図７】ダッシュ防止部材の固定杆を上方へ延長した実施例のロータリーケース下部側面図である。
【符号の説明】
Ａ        管理機
Ｃ        ダッシュ防止部材
１        抵抗棒
１ａ      斜面
１ｂ      頂部
２３ｃ    ロータリーケース
２５      駆動輪
２６      耕耘爪軸
３０      耕耘爪
【図１】
0003614504.tif 000002
【図２】
0003614504.tif 000003
【図３】
0003614504.tif 000004
【図４】
0003614504.tif 000005
【図５】
0003614504.tif 000006
【図６】
0003614504.tif 000007
【図７】
0003614504.tif 000008